(57)【特許請求の範囲】
【請求項１】
サブキャリアを用いたマルチキャリア信号を伝送路を介して送信するＯＦＤＭ送信装置であって、
複数のサブキャリアから使用サブキャリアを決定する使用サブキャリア決定手段と、
使用サブキャリア毎にビットデータからサブキャリア変調信号を生成する変調信号形成手段と、
各サブキャリア変調信号の振幅を制御する振幅制御手段と、
振幅制御手段によって振幅を制御された各サブキャリア変調信号を互いに加え合わせたＯＦＤＭ信号を生成するＯＦＤＭ信号生成手段と、
ＯＦＤＭ信号をアナログ信号に変換して伝送路に出力するＤ／Ａ変換手段と、
各サブキャリアの伝送路の状態を検知する伝送路状態推定手段とを備え、
振幅制御手段は、
Ｄ／Ａ変換手段の出力電力に対する目標電力を保持しており、各サブキャリア変調信号の電力が、目標電力を使用サブキャリアの数で除した値に一致するように、各サブキャリア変調信号の目標振幅値を決定した後に、各使用サブキャリアの伝送路状態に基づいて、伝送路状態の悪い使用サブキャリアのサブキャリア変調信号の目標振幅値を増大方向に補正し、伝送路状態のよい使用サブキャリアのサブキャリア変調信号の目標振幅値を減少方向に補正し、各使用サブキャリアのサブキャリア変調信号の振幅を、前記補正後の目標振幅値に調整することによって、
Ｄ／Ａ変換手段に入力されるＯＦＤＭ信号の振幅が所定の振幅値となるように、使用サブキャリアの数に応じて、各使用サブキャリアのサブキャリア変調信号の振幅を調整する
ことを特徴とするＯＦＤＭ送信装置。
【請求項２】
前記振幅制御手段は、前記Ｄ／Ａ変換手段の出力に基づいて、前記Ｄ／Ａ変換手段の出力電力が目標電力となるように、各使用サブキャリアのサブキャリア変調信号の振幅を調整することを特徴とする請求項１記載のＯＦＤＭ送信装置。
【請求項３】
前記所定の振幅値は、前記Ｄ／Ａ変換手段に入力可能な最大振幅であることを特徴とする請求項１または２記載のＯＦＤＭ送信装置。
【請求項４】
前記使用サブキャリア決定手段は、各サブキャリアの伝送路状態に基づいて、複数のサブキャリアから使用サブキャリアを決定することを特徴とする請求項１乃至３いずれか記載のＯＦＤＭ送信装置。
【請求項５】
サブキャリアを用いたマルチキャリア信号を伝送路を介して送信するＯＦＤＭ送信方法であって、
複数のサブキャリアから使用サブキャリアを決定する第１のステップと、
使用サブキャリア毎にビットデータからサブキャリア変調信号を生成する第２のステップと、
各サブキャリア変調信号の振幅を制御する第３のステップと、
振幅を制御された各サブキャリア変調信号を互いに加え合わせたＯＦＤＭ信号を生成する第４のステップと、
ＯＦＤＭ信号をアナログ信号に変換して伝送路に出力する第５のステップとを有し、
第３のステップでは、
各サブキャリア変調信号の電力が、目標電力を使用サブキャリアの数で除した値に一致するように、各サブキャリア変調信号の目標振幅値を決定した後に、各使用サブキャリアの伝送路状態に基づいて、伝送路状態の悪い使用サブキャリアのサブキャリア変調信号の目標振幅値を増大方向に補正し、伝送路状態のよい使用サブキャリアのサブキャリア変調信号の目標振幅値を減少方向に補正し、各使用サブキャリアのサブキャリア変調信号の振幅を、前記補正後の目標振幅値に調整することによって、
ＯＦＤＭ信号の振幅が所定の振幅値となるように、各使用サブキャリアのサブキャリア変調信号の振幅を調整する
ことを特徴とするＯＦＤＭ送信方法。
【発明の詳細な説明】
【技術分野】
【０００１】
本発明は、複数のサブキャリアを用いたマルチキャリア信号を伝送路を介して送信するＯＦＤＭ送信装置、およびＯＦＤＭ送信方法に関するものである。
【背景技術】
【０００２】
近年の、急速な情報化社会の形成に伴い、高速大容量通信の需要が益々高まっている。そのような中、電波の限られた帯域幅を最大限に利用するＯＦＤＭ（Orthogonal Frequency Division Multiplexing：直交波周波数分割多重）を用いた通信の研究開発が広く行われている。
【０００３】
一般的に、ＯＦＤＭ送信装置では、サブキャリア毎にデジタルのサブキャリア変調信号を生成し、各サブキャリア変調信号を互いに加え合わせたＯＦＤＭ信号をＤ／Ａ変換した後、受信側に伝送路を介して送信しており、増幅器やＤ／Ａ変換器が用いられている。増幅器に関しては、伝送特性の劣化要因であるＯＦＤＭ信号の歪みを抑えるためにピーク電力と平均電力との差を抑制する必要がある。一方、Ｄ／Ａ変換器に関しては、Ｄ／Ａ変換の能力（例えば分解能）を最大限に利用するために、Ｄ／Ａ変換器へ入力するＯＦＤＭ信号の最大振幅を、当該Ｄ／Ａ変換器の仕様によって予め決められている入力可能な最大振幅に一致させることが必要となる。
【０００４】
上記増幅器に関しては、多くの対処方法が提案されている。例えば、各サブキャリアの位相が揃ったときに、平均電力に対してピーク電力が非常に大きい値になってしまうという点に着目して、サブキャリア毎に位相を変化させて位相が揃わないようにすることでピーク電力を抑制している（例えば、特許文献１参照）。
【特許文献１】再公表特許ＷＯ２００５／０５５４７９号公報
【発明の開示】
【発明が解決しようとする課題】
【０００５】
上記特許文献１は、ＯＦＤＭ信号の振幅を変化させる機能を有している。しかし、当該機能は、複数のサブキャリアの各々の振幅を、複数のサブキャリアの各々に割り当てられたシンボルが配置された信号点とその信号点に隣接する信号点との判定境界線を越えない範囲で変化させるものであって、その振幅の変化量は判定境界線によって制限されており、ＯＦＤＭ信号の最大振幅を当該Ｄ／Ａ変換器に入力可能な最大振幅に一致させて、Ｄ／Ａ変換の能力を最大限に利用することを考慮したものではなかった。
【０００６】
また、送信先での感度がよくないサブキャリアがあった場合でも、そのサブキャリアをそのまま使用しており、Ｄ／Ａ変換器の能力を効率よく利用しているとは言い難いものであった。
【０００７】
本発明は、上記事由に鑑みてなされたものであり、その目的は、ＯＦＤＭ信号をＤ／Ａ変換するＤ／Ａ変換手段の能力を最大限に利用することができるＯＦＤＭ送信装置を提供することにある。
【課題を解決するための手段】
【０００８】
請求項１の発明は、サブキャリアを用いたマルチキャリア信号を伝送路を介して送信するＯＦＤＭ送信装置であって、複数のサブキャリアから使用サブキャリアを決定する使用サブキャリア決定手段と、使用サブキャリア毎にビットデータからサブキャリア変調信号を生成する変調信号形成手段と、各サブキャリア変調信号の振幅を制御する振幅制御手段と、振幅制御手段によって振幅を制御された各サブキャリア変調信号を互いに加え合わせたＯＦＤＭ信号を生成するＯＦＤＭ信号生成手段と、ＯＦＤＭ信号をアナログ信号に変換して伝送路に出力するＤ／Ａ変換手段と、各サブキャリアの伝送路の状態を検知する伝送路状態推定手段とを備え、振幅制御手段は、Ｄ／Ａ変換手段の出力電力に対する目標電力を保持しており、各サブキャリア変調信号の電力が、目標電力を使用サブキャリアの数で除した値に一致するように、各サブキャリア変調信号の目標振幅値を決定した後に、各使用サブキャリアの伝送路状態に基づいて、伝送路状態の悪い使用サブキャリアのサブキャリア変調信号の目標振幅値を増大方向に補正し、伝送路状態のよい使用サブキャリアのサブキャリア変調信号の目標振幅値を減少方向に補正し、各使用サブキャリアのサブキャリア変調信号の振幅を、前記補正後の目標振幅値に調整することによって、Ｄ／Ａ変換手段に入力されるＯＦＤＭ信号の振幅が所定の振幅値となるように、使用サブキャリアの数に応じて、各使用サブキャリアのサブキャリア変調信号の振幅を調整することを特徴とする。
【０００９】
この発明によれば、ＯＦＤＭ送信装置において、使用サブキャリアの数が増減しても、Ｄ／Ａ変換手段に入力されるＯＦＤＭ信号の振幅は所定の振幅値に制御されるので、Ｄ／Ａ変換手段の能力を最大限に利用することが可能となる。また、伝送路の状態によって使用サブキャリアの数が増減しても、Ｄ／Ａ変換手段の能力を最大限に利用することができるとともに、送信先での復調データの信頼性向上を図ることができる。
【００１０】
請求項２の発明は、請求項１において、前記振幅制御手段は、前記Ｄ／Ａ変換手段の出力に基づいて、前記Ｄ／Ａ変換手段の出力電力が目標電力となるように、各使用サブキャリアのサブキャリア変調信号の振幅を調整することを特徴とする。
【００１１】
この発明によれば、Ｄ／Ａ変換手段の出力をフィードバックして、各使用サブキャリアのサブキャリア変調信号の振幅を調整することによって、Ｄ／Ａ変換手段の能力を精度よく最大限に利用することが可能となる。  
【００１２】
請求項３の発明は、請求項１または２において、前記所定の振幅値は、前記Ｄ／Ａ変換手段に入力可能な最大振幅であることを特徴とする。
【００１３】
この発明によれば、Ｄ／Ａ変換手段の能力を最大限に利用することができる。
【００１４】
請求項４の発明は、請求項１乃至３いずれかにおいて、前記使用サブキャリア決定手段は、各サブキャリアの伝送路状態に基づいて、複数のサブキャリアから使用サブキャリアを決定することを特徴とする。
【００１５】
この発明によれば、伝送路の状態によるサブキャリアの選択が可能となり、Ｄ／Ａ変換手段の能力をさらに効率よく利用することができる。
【００１６】
請求項５の発明は、サブキャリアを用いたマルチキャリア信号を伝送路を介して送信するＯＦＤＭ送信方法であって、複数のサブキャリアから使用サブキャリアを決定する第１のステップと、使用サブキャリア毎にビットデータからサブキャリア変調信号を生成する第２のステップと、各サブキャリア変調信号の振幅を制御する第３のステップと、振幅を制御された各サブキャリア変調信号を互いに加え合わせたＯＦＤＭ信号を生成する第４のステップと、ＯＦＤＭ信号をアナログ信号に変換して伝送路に出力する第５のステップとを有し、第３のステップでは、各サブキャリア変調信号の電力が、目標電力を使用サブキャリアの数で除した値に一致するように、各サブキャリア変調信号の目標振幅値を決定した後に、各使用サブキャリアの伝送路状態に基づいて、伝送路状態の悪い使用サブキャリアのサブキャリア変調信号の目標振幅値を増大方向に補正し、伝送路状態のよい使用サブキャリアのサブキャリア変調信号の目標振幅値を減少方向に補正し、各使用サブキャリアのサブキャリア変調信号の振幅を、前記補正後の目標振幅値に調整することによって、ＯＦＤＭ信号の振幅が所定の振幅値となるように、各使用サブキャリアのサブキャリア変調信号の振幅を調整することを特徴とする。
【００１７】
この発明によれば、ＯＦＤＭ送信方法において、使用サブキャリアの数が増減しても、Ｄ／Ａ変換手段に入力されるＯＦＤＭ信号の振幅は所定の振幅値に制御されるので、Ｄ／Ａ変換手段の能力を最大限に利用することが可能となる。
【発明の効果】
【００１８】
以上説明したように、本発明では、ＯＦＤＭ信号をＤ／Ａ変換するＤ／Ａ変換手段の能力を最大限に利用することができるという効果がある。
【発明を実施するための最良の形態】
【００１９】
以下、本発明の実施の形態を図面に基づいて説明する。
【００２０】
（実施形態１）
まず、本実施形態におけるＯＦＤＭ送信装置の構成を図１に示し、その動作フローチャートを図２に示す。本実施形態のＯＦＤＭ送信装置１は、ＯＦＤＭ（Orthogonal Frequency Division Multiplexing：直交波周波数分割多重）変調された信号によるパケット通信を行っている。但し、ＯＦＤＭ送信装置１から信号を伝送するための伝送路については有線または無線の何れでも構わない。
【００２１】
ＯＦＤＭ送信装置１は、誤り訂正符号部１１と、サブキャリア変調信号形成部１２と、インターリーバ部１３と、ＯＦＤＭ信号生成部１４と、Ｄ／Ａ変換部１５と、振幅制御部１６と、伝送路状態推定部１７と、使用サブキャリア決定部１８とを備える。
【００２２】
まず、誤り訂正符号部１１は、送信信号であるシリアルのビットデータに誤り訂正符号化を施すことで、伝送路が悪条件下にある場合でも通信システムの信頼性を高めて、サブキャリア変調信号形成部１２へ出力する。
【００２３】
サブキャリア変調信号形成部１２は、直並列変換器１２ａと、シンボルマッパ１２ｂと、複数のサブキャリア変調器１２ｃとで構成され、直並列変換器１２ａが、誤り訂正符号化を施されたシリアルのビットデータを、使用するサブキャリアの数に応じたパラレルのビットデータに、後述の変調方式によって決定されるシンボル単位で変換する。
【００２４】
シンボルマッパ１２ｂは、直並列変換を施された各ビットデータを、変調方式によって決定される複素平面上のＩＱ信号（In-Phase成分：同相成分、Quadrature-Phase成分：直交成分）に変換してシンボルマッピングを行うが、この変調方式としてＱＰＳＫ（Quadrature Phase Shift Keying）を用いた場合、基準となる正弦波と、この基準正弦波に対して位相が９０度、１８０度、２７０度ずれた各正弦波との合計４つの正弦波に対して、ビットデータ００，０１，１０，１１を各々割り当てる。ＱＰＳＫにおけるビットデータとＩＱ信号との対応は図３に示され、シンボルマッパ１２ｂは、この対応関係をテーブルの形態で格納しており、必要なときに参照する方法が典型的である。
【００２５】
複数のサブキャリア変調器１２ｃは、周波数が互いに異なるサブキャリアに各々対応しており、シンボル単位の各ＩＱ信号をサブキャリア毎の周波数に変調して（サブキャリア変調）、サブキャリア変調信号（シンボルデータ）を生成する。
【００２６】
ここで本実施形態においても、誤り訂正符号部１１が施す誤り訂正符号化によって、送信先での復調データの信頼性向上を図っている。この誤り訂正符号には様々な方式があるが、回路の複雑さ等を考慮すると、実用的な方式はデータ内でランダムに分散した誤りの訂正に力を発揮するランダム誤り訂正符号を用いた方式である。しかし、誤りには、データ内でランダムに発生するランダム誤りと、データ内である箇所に集中して発生するバースト誤りとがあり、ランダム誤り訂正符号を用いた方式では、訂正できるエラー数に上限があるため、バースト誤りの発生に対応できない。
【００２７】
そこで、インターリーバ部１３が、各サブキャリア変調器１２ｃで変調した各サブキャリア変調信号の順序を入れ替えることで（インターリーブする）、伝送路内でバースト誤りが発生した場合でも、送信先でデインターリーバを行うことで、データ内でランダムに誤りを分散させて、上記問題を解決している。なお、インターリーブには様々な方式があるが、伝送路の特性から適切な方式を選択すればよい。
【００２８】
次に、ＯＦＤＭ信号生成部１４は、逆離散フーリエ変換器（ＩＦＦＴ）１４ａと、並直列変換器１４ｂと、ＧＩ付加部１４ｃと、実部抽出部１４ｄと、周波数変換器１４ｅと、局部発振器１４ｆと、バンドパスフィルタ１４ｇとで構成され、逆離散フーリエ変換器（ＩＦＦＴ）１４ａが、インターリーバ部１３から出力される各サブキャリア変調信号を一括して逆離散フーリエ変換した後、並直列変換器１４ｂが、パラレルのデータをシリアルのデータに変換して複素ベースバンドＯＦＤＭ信号を生成する。並直列変換器１４ｂによる並直列変換の際には、マルチパス遅延波による符号間干渉を受けないように、ＧＩ付加部１４ｃがガードインターバル（ＧＩ）を複素ベースバンドＯＦＤＭ信号に付加する。
【００２９】
実部抽出部１４ｄは、並直列変換器１４ｂが出力する複素ベースバンドＯＦＤＭ信号から実部を抽出し、周波数変換器１４ｅは、局部発振器１４ｆによる周波数ｆＣの搬送波［ｃｏｓ（２πｆＣｔ）］を複素ベースバンドＯＦＤＭ信号の実部に掛け合わせて、搬送波帯域ＯＦＤＭ信号を生成し、搬送波帯域ＯＦＤＭ信号はＤ／Ａ変換部１５でアナログ信号に変換された後、バンドパスフィルタ１４ｇを通って伝送路（またはアンテナを介した伝送路）に送信される。
【００３０】
上記概略構成を備えるＯＦＤＭ送信装置１は、図示しないＯＦＤＭ受信装置とでＯＦＤＭ通信装置を構成しており、伝送路状態推定部１７は、当該受信装置が伝送路を介して受信したＯＦＤＭ信号の各サブキャリアのＳ／Ｎ比が高いほど、ビット誤り率（Bit Error Rate：以下、ＢＥＲ）が低くなり（すなわち、雑音レベルが低いほど良好な通信を行うことができる）、Ｓ／Ｎ比が所定の閾値以下のサブキャリアは伝送路の状態が悪いと推定する。
【００３１】
使用サブキャリア決定部１８は、伝送路状態推定部１７の推定結果に基づいて、Ｓ／Ｎ比が所定の閾値以下で伝送路の状態が悪いと推定したサブキャリアを使用せず、Ｓ／Ｎ比が所定の閾値を越えて伝送路の状態がよいと推定したサブキャリアのみを使用するように、使用するサブキャリア（使用サブキャリア）を設定し、この使用サブキャリアの数に合わせて、直並列変換器１２ａの直並列変換で生成されるパラレルデータの数を設定する（ステップＳ１）。なお、使用サブキャリアを設定する処理は、各サブキャリアの伝送路の状態を一定時間毎に推定し、この推定結果に基づいて一定時間毎に設定内容を更新する方法や、伝送路の状態がほぼ変動しない場合には各サブキャリアの伝送路の状態を本装置の設置時に推定し、この設置時の推定結果に基づいて設定する方法等がある。
【００３２】
そして、複数のサブキャリア変調器１２ｃのうち、使用サブキャリアに対応するサブキャリア変調器１２ｃが、ＩＱ信号に対してサブキャリア変調を行うのであるが（ステップＳ２）、このときサブキャリア変調器１２ｃは、振幅制御部１６によってサブキャリア変調信号の振幅を制御される。
【００３３】
振幅制御部１６は、振幅値決定部１６ａと、振幅値調整部１６ｂとで構成される。ここで、Ｄ／Ａ変換部１５に入力される搬送波帯域ＯＦＤＭ信号は全使用サブキャリアのサブキャリア変調信号を重ね合わせたものであることから、搬送波帯域ＯＦＤＭ信号の振幅は、各使用サブキャリアのサブキャリア変調信号（以後、使用サブキャリア変調信号と称す）の振幅に依存している。さらに各使用サブキャリア変調信号の振幅の増減は、各使用サブキャリア変調信号の電力の増減に反映される。そこで、振幅値決定部１６ａは、Ｄ／Ａ変換部１５が出力する搬送波帯域ＯＦＤＭ信号の電力（全使用サブキャリア変調信号の合計電力に相当する）に対する目標電力を予め保持しており、各使用サブキャリア変調信号の電力が、目標電力を使用サブキャリアの数で除した値に一致するように、各使用サブキャリア変調信号の目標振幅値を決定し、振幅値調整部１６ｂは、各使用サブキャリア変調信号の振幅を目標振幅値に制御する（ステップＳ３）。このとき、各使用サブキャリア変調信号の目標振幅値は、各使用サブキャリア変調信号の電力が互いに等しくなる値に設定される。さらに、各使用サブキャリア変調信号の振幅は、使用サブキャリアの数が多ければ小さくなり、使用サブキャリアの数が少なければ大きくなる。
【００３４】
したがって、全使用サブキャリア変調信号の合計電力が目標電力となった場合にＤ／Ａ変換部１５に入力される搬送波帯域ＯＦＤＭ信号の振幅が、当該Ｄ／Ａ変換部に入力可能な最大振幅に一致するように目標電力を設定すれば、伝送路の状態によって使用サブキャリアの数が増減しても、Ｄ／Ａ変換部１５に入力されるＯＦＤＭ信号の振幅は入力可能な最大振幅に制御されるので、Ｄ／Ａ変換部１５の能力（例えば分解能）を最大限に利用することができる。
【００３５】
具体的には、図４（ａ）に示すように、全てのサブキャリア（全てのサブキャリア変調器１２ｃ）を使用して、全使用サブキャリア変調信号の合計電力が目標電力となるように全使用サブキャリア変調信号の振幅を目標振幅値に制御した状態を初期状態とする。この初期状態から、図４（ｂ）に示すように周波数帯域Ｗ１のサブキャリアに対する伝送路の状態が悪化して使用サブキャリアの数が減少した場合、振幅値決定部１６ａは、減少後の全使用サブキャリア変調信号の合計電力が目標電力となるように、各使用サブキャリア変調信号に対して上記目標振幅値を初期状態から増大させ、振幅値調整部１６ｂは、各使用サブキャリア変調信号の振幅を増大した目標振幅値に制御する。
【００３６】
したがって、減少後の各使用サブキャリア変調信号の電力は、図４（ｃ）に示すように初期状態から電力ΔＰ１だけ増大した電力に制御されるので、初期状態における全使用サブキャリア変調信号の合計電力と、使用サブキャリアの数が減少した場合における全使用サブキャリア変調信号の合計電力とは同一になり（すなわち、搬送波帯域ＯＦＤＭ信号の電力が、サブキャリアの減少前後で同一になる）、Ｄ／Ａ変換部１５に入力される搬送波帯域ＯＦＤＭ信号の振幅も、初期状態と使用サブキャリアの減少後とでは同一の振幅値となり、伝送路の状態に応じて使用サブキャリアの数が増減しても、Ｄ／Ａ変換部１５の能力（例えば分解能）を最大限に利用することが可能となる。
【００３７】
そして、ＯＦＤＭ信号生成部１４は、インターリーバ部１３を通過した各使用サブキャリア変調信号を一括して逆離散フーリエ変換した後、直並列変換してガードインターバルを付加した複素ベースバンドＯＦＤＭ信号を生成し、複素ベースバンドＯＦＤＭ信号の実部に搬送波［ｃｏｓ（２πｆＣｔ）］を掛け合わせて、搬送波帯域ＯＦＤＭ信号を生成し（ステップＳ４）、搬送波帯域ＯＦＤＭ信号はＤ／Ａ変換部１５でアナログ信号に変換された後、バンドパスフィルタ１４ｇを通って伝送路（またはアンテナを介した伝送路）に送信される（ステップＳ５）。
【００３８】
（実施形態２）
本実施形態のＯＦＤＭ送信装置１は図５に示す構成を備えており、振幅制御部１６が、Ｄ／Ａ変換部１５が出力する搬送波帯域ＯＦＤＭ信号をフィードバックして各使用サブキャリア変調信号の振幅を制御する点が実施形態１とは異なる。
【００３９】
まず、振幅値決定部１６ａは、搬送波帯域ＯＦＤＭ信号の電力に対する目標電力を予め保持しており、Ｄ／Ａ変換部１５の出力からフィードバックされた搬送波帯域ＯＦＤＭ信号の電力が目標電力に一致するように、各使用サブキャリア変調信号の目標振幅値を決定し、振幅値調整部１６ｂは、各使用サブキャリア変調信号の振幅を目標振幅値に制御する。このとき、各使用サブキャリア変調信号の目標振幅値は、各使用サブキャリア変調信号の電力が互いに等しくなる値に設定される。さらに、各使用サブキャリア変調信号の振幅は、使用サブキャリアの数が多ければ小さくなり、使用サブキャリアの数が少なければ大きくなる。
【００４０】
したがって、Ｄ／Ａ変換部１５の出力からフィードバックされた搬送波帯域ＯＦＤＭ信号の電力が目標電力となった場合に、Ｄ／Ａ変換部１５に入力される搬送波帯域ＯＦＤＭ信号の振幅が当該Ｄ／Ａ変換部に入力可能な最大振幅に一致するように目標電力を設定すれば、伝送路の状態によって使用サブキャリアの数が増減しても、Ｄ／Ａ変換部１５に入力されるＯＦＤＭ信号の振幅は入力可能な最大振幅に精度よく制御されるので、Ｄ／Ａ変換部１５の能力（例えば分解能）を精度よく最大限に利用することができる。
【００４１】
さらに、振幅制御部１６は、各使用サブキャリア変調信号の電力が、目標電力を使用サブキャリアの数で除した値に一致するように、各使用サブキャリア変調信号の目標振幅値を決定し、各使用サブキャリア変調信号の振幅を同一の目標振幅値に制御する実施形態１の方法を併用することで、Ｄ／Ａ変換部１５の能力をさらに最大限に利用することができる。
【００４２】
（実施形態３）
本実施形態のＯＦＤＭ送信装置１は図６に示す構成を備えており、振幅制御部１６が伝送路推定部１７の推定結果に基づいて各使用サブキャリア変調信号の電力を個別に補正する構成を付加した点が、各使用サブキャリア変調信号の電力を同一電力に制御する実施形態１とは異なる。
【００４３】
一般的に、伝送路の特性は周波数に依存するため、各使用サブキャリア変調信号を同一電力に設定しても、伝送路を介した送信先で受信される各使用サブキャリア変調信号は、その周波数によって受信電力が異なる。
【００４４】
そこで、本実施形態において、振幅制御部１６の振幅値決定部１６ａは、各使用サブキャリア変調信号の電力が、目標電力を使用サブキャリアの数で除した値に一致するように、各使用サブキャリア変調信号の目標振幅値を決定した後、目標振幅値の補正を行う。具体的には、振幅値決定部１６ａは、全使用サブキャリア変調信号の合計電力が目標電力に一致するという条件は維持しながら、伝送路推定部１７の推定結果に基づいて、使用サブキャリアのうち伝送路状態がよい使用サブキャリアのサブキャリア変調信号の目標振幅値を減少方向に補正し、伝送路状態が悪い使用サブキャリアのサブキャリア変調信号の目標振幅値を増大方向に補正する。
【００４５】
したがって、伝送路の状態によって使用サブキャリアの数が増減しても、Ｄ／Ａ変換部１５の能力（例えば分解能）を最大限に利用することができるとともに、送信先での復調データの信頼性向上を図ることができる。
【００４６】
（実施形態４）
本実施形態のＯＦＤＭ送信装置１は図７に示す構成を備えており、振幅制御部１６が伝送路推定部１７の推定結果に基づいて各使用サブキャリア変調信号の電力を個別に補正する構成を付加した点が、各使用サブキャリア変調信号の電力を同一電力に制御する実施形態２とは異なる。
【００４７】
一般的に、伝送路の特性は周波数に依存するため、各使用サブキャリア変調信号を同一電力に設定しても、伝送路を介した送信先で受信される各使用サブキャリア変調信号は、その周波数によって受信電力が異なる。
【００４８】
そこで、本実施形態において、振幅制御部１６の振幅値決定部１６ａは、Ｄ／Ａ変換部１５の出力からフィードバックされた搬送波帯域ＯＦＤＭ信号の電力が目標電力に一致するように、各使用サブキャリア変調信号の目標振幅値を決定した後、目標振幅値の補正を行う。具体的には、振幅値決定部１６ａは、フィードバックされた搬送波帯域ＯＦＤＭ信号の電力が目標電力に一致するという条件は維持しながら、伝送路推定部１７の推定結果に基づいて、使用サブキャリアのうち伝送路状態がよい使用サブキャリアのサブキャリア変調信号の目標振幅値を減少方向に補正し、伝送路状態が悪い使用サブキャリアのサブキャリア変調信号の目標振幅値を増大方向に補正する。
【００４９】
したがって、伝送路の状態によって使用サブキャリアの数が増減しても、Ｄ／Ａ変換部１５の能力（例えば分解能）を最大限に利用することができるとともに、送信先での復調データの信頼性向上を図ることができる。
【図面の簡単な説明】
【００５０】
【図１】実施形態１のブロック構成を示す図である。
【図２】同上の動作フローチャートを示す図である。
【図３】同上のＱＰＳＫにおけるビットデータとＩＱ信号との対応を示す図である。
【図４】（ａ）〜（ｃ）同上の使用サブキャリアの電力制御を示す図である。
【図５】実施形態２のブロック構成を示す図である。
【図６】実施形態３のブロック構成を示す図である。
【図７】実施形態４のブロック構成を示す図である。
【符号の説明】
【００５１】
１  ＯＦＤＭ送信装置
１１  誤り訂正符号部
１２  サブキャリア変調信号形成部
１３  インターリーバ部
１４  ＯＦＤＭ信号生成部
１５  Ｄ／Ａ変換部
１６  振幅制御部
１７  伝送路状態推定部
１８  使用サブキャリア決定部
【図１】
0005108582.tif 000002
【図２】
0005108582.tif 000003
【図３】
0005108582.tif 000004
【図４】
0005108582.tif 000005
【図５】
0005108582.tif 000006
【図６】
0005108582.tif 000007
【図７】
0005108582.tif 000008